(57)【要約】      （修正有）【課題】被分離材料を第１材と第２材とに分ける作業の効率化。【解決手段】バケット本体Ａ１と、バケット本体Ａ１の側板Ａ１０、Ａ１１間に回転可能に配された撹拌部１と、バケット本体Ａ１の底部Ａ１２に撹拌部１と対面するように設けられたフィルタ部２とを備える。撹拌部１は、回転軸１０と、回転軸１０の外周に一体に設けられ、回転軸１０の回転に伴ってバケット本体Ａ１内の使用済み家畜敷料Ｃを撹拌して、被分離材料Ｃを堆肥原料Ｃ１と家畜敷料原料Ｃ２とに分ける撹拌部材１１とを備える。フィルタ部２は、撹拌部１で分けられた堆肥原料Ｃ１が通過する複数の通過空間２０と、複数の通過空間２０の間に確保され、撹拌部１で分けられた家畜敷料原料Ｃ２をバケット本体Ａ１内に保持する保持部２１とを備えた。【選択図】図１
2012225074.tif 000002
【特許請求の範囲】
【請求項１】
バケット本体と、前記バケット本体の側板間に回転可能に支持された撹拌部と、前記バケット本体の底部に前記撹拌部と対面するように設けられたフィルタ部とを備え、前記撹拌部は、回転軸と、該回転軸の外周に一体に設けられ、前記回転軸の回転に伴って前記バケット本体内の被分離材料を撹拌して、該被分離材料を第１材と第２材とに分ける撹拌部材とを備え、前記フィルタ部は、前記撹拌部で分けられた前記第１材が通過する複数の通過空間と、該複数の通過空間の間に確保され、前記撹拌部で分けられた前記第２材を前記バケット本体内に保持する保持部とを備えていることを特徴とするバケット。
【請求項２】
前記バケット本体内を、前記撹拌部を内蔵する独立した部屋である撹拌室と、前記被分離材料を保持する保持空間部とに区画する壁部材を備え、該壁部材には、前記撹拌室と前記保持空間部とを連通する連通口が開口されていることを特徴とする請求項１記載のバケット。
【請求項３】
前記保持空間が前記バケット本体のツース側に確保され、前記撹拌室が前記バケット本体の連結部側に確保されていることを特徴とする請求項１又は２記載のバケット。
【請求項４】
前記撹拌部材を複数備え、該複数の撹拌部材が、前記回転軸の軸線に沿って並列し、且つ該回転軸の経方向に沿って放射状に突設されていることを特徴とする請求項１乃至３何れか１項記載のバケット。
【請求項５】
前記撹拌部材を複数備え、該複数の撹拌部材が、前記回転軸と同軸とする螺旋上に沿って並べられ、且つ該回転軸の経方向に沿って放射状に突設されていることを特徴とする請求項１乃至３何れか１項記載のバケット。
【請求項６】
前記被分離材料が使用済み家畜敷料であり、前記第１材が前記使用済み家畜敷料に含まれる堆肥原料であり、第２材が前記使用済み家畜敷料に含まれる家畜敷料原料であることを特徴とする請求項１乃至５何れか１項記載のバケット。
【発明の詳細な説明】
【技術分野】
【０００１】
本発明は、走行可能な建設機械に連結されるバケットに関し、詳しくは、被分離材料を第１材と第２材とに分けるためのフィルタ機能を有するバケットに関する。
【背景技術】
【０００２】
使用済み家畜敷料（被分離材料）を堆肥と家畜敷料に再生処理する前作業として、下記特許文献１に記載のフィルタ装置を使用して、使用済み家畜敷料を堆肥原料（第１材）となる粉状家畜糞及び細かく破砕された敷料と、家畜敷料原料（第２材）となる木片チップ類や切断されていない稲わら等とに分けることが知られている。
【０００３】
このフィルタ装置は、枠体載置基台と、この枠体載置基台の前後位置に設けられた正逆両回転自在のローラ上に載置され、前方に向けて俯角をなすとともに、枠体載置基台に据付けられた駆動機によって往復前後振動が施されるフィルタ枠体と、このフィルタ枠体下部においてその前後方向へ向けて、少なくとも一段差を具備して伸延する複数の棒状体を左右方向へ複数等間隔として平行に配設した櫛歯形状を形成する櫛歯篩床とで構成されている。
【先行技術文献】
【特許文献】
【０００４】
【特許文献１】実用新案登録第３０３５１６４号公報
【発明の概要】
【発明が解決しようとする課題】
【０００５】
特許文献１の従来技術によると、使用済み家畜敷料を、櫛歯篩床上をその往復前後振動によって進行させながら、堆肥原料を櫛歯篩床の櫛歯目穴から落下させて、この堆肥原料と家畜敷料原料を分けることで、堆肥原料とこの堆肥原料が除去された家畜敷料原料を同時に得ることができる。
【０００６】
この特許文献１の従来技術は、使用済み家畜敷料をホッパに貯留し、このホッパから使用済み家畜敷料をフィルタ装置に投下するようになっている。そのため、使用済み家畜敷料がホッパの投入口に詰まった場合、この詰まりを取り除く作業が必要である。また、人力又はドーザやショベルカー等の機械によって使用済み家畜敷料をホッパに投入する作業が必要である。すなわち、特許文献１の従来技術では、実質的な使用済み家畜敷料を分ける作業の前段階における構成及び作業によって、全体的な使用済み家畜敷料を分ける作業の効率を上げることができなかった。
【０００７】
本発明は、このような問題に対処することを課題の一例とするものである。すなわち、被分離材料を第１材と第２材とに分ける作業を効率よく行うことができることが本発明の目的である。
【課題を解決するための手段】
【０００８】
このような目的を達成するために、本発明によるバケットは、以下の構成を少なくとも具備するものである。
【０００９】
バケット本体と、前記バケット本体の側板間に回転可能に配された撹拌部と、前記バケット本体の底部に前記撹拌部と対面するように設けられたフィルタ部とを備え、前記撹拌部は、回転軸と、該回転軸の外周に一体に設けられ、前記回転軸の回転に伴って前記バケット本体内の被分離材料を撹拌して、該被分離材料を第１材と第２材とに分ける撹拌部材とを備え、前記フィルタ部は、前記撹拌部で分けられた前記第１材が通過する複数の通過空間と、該複数の通過空間の間に確保され、前記撹拌部で分けられた前記第２材を前記バケット本体内に保持する保持部とを備えていることを特徴とする。
【００１０】
前記バケット本体内を、前記撹拌部を内蔵する独立した部屋である撹拌室と、前記被分離材料を保持する保持空間部とに区画する壁部材を備え、該壁部材には、前記撹拌室と前記保持空間部とを連通する連通口が開口されていることを特徴とする。
【００１１】
前記保持空間が前記バケット本体のツース側に確保され、前記撹拌室が前記バケット本体の連結部側に確保されていることを特徴とする。
【００１２】
前記撹拌部材を複数備え、該複数の撹拌部材が、前記回転軸の軸線に沿って並列し、且つ該回転軸の経方向に沿って放射状に突設されていることを特徴とする。
【００１３】
前記撹拌部材を複数備え、該複数の撹拌部材が、前記回転軸と同軸とする螺旋上に沿って並べられ、且つ該回転軸の経方向に沿って放射状に突設されていることを特徴とする。
【００１４】
前記被分離材料が使用済み家畜敷料であり、前記第１材が前記使用済み家畜敷料に含まれる堆肥原料であり、前記第２材が前記使用済み家畜敷料に含まれる家畜敷料原料であることを特徴とする。
【発明の効果】
【００１５】
このような特徴を有することで本発明は、以下の効果を奏する。すなわち、バケット自体で被分離材料を第１材と第２材に分けるものであるので、被分離材料を第１材と第２材とに分ける作業を効率よく行うことができる。
【図面の簡単な説明】
【００１６】
【図１】本発明の一実施形態に係るバケットの断面図。
【図２】図１の（２）−（２）線断面図。
【図３】図１の（３）−（３）線断面図。
【図４】フィルタ部の拡大平面図。
【図５】図４の（５）−（５）線断面図。
【図６】撹拌部の他の実施形態を示す拡大図で、撹拌部の一部を示す。
【発明を実施するための形態】
【００１７】
本発明でいう被分離材料は、少なくとも、分けることが可能な第１材と第２材とが混合された材料であり、例えば、使用済み家畜敷料、土砂、瓦礫等である。
【００１８】
本発明でいう被分離材料に含まれる第１材と第２材は、被分離材料が使用済み家畜敷料である場合、例えば、第１材が堆肥原料であり、第２材が家畜敷料原料である。ここで、堆肥原料とは、家畜糞、或いは細かく破砕された木片チップや稲わら等の敷料材であり、家畜敷料原料は、破砕されていない木片チップや稲わら等の敷料材である。
【００１９】
また、被分離材料が土砂ある場合、例えば、第１材が細かい土砂であり、第２材が石や木の根等である。被分離材料が瓦礫である場合、例えば、第１材が細かく砕かれたコンクリート等であり、第２材が鉄筋や鉄骨等である。
【００２０】
以下、本発明の一実施形態に係るバケットを図面に基づいて説明する。尚、以下では、被分離材料を使用済み家畜敷料とし、第１材を堆肥原料とし、第２材を家畜敷料原料とする。
【００２１】
図１〜図５は、バケットＡの構成図である。バケットＡは、バケット本体Ａ１内の側板Ａ１０、Ａ１１間に配された撹拌部１と、バケット本体Ａ１の底部Ａ１２に設けられたフィルタ部２とを備えている。
【００２２】
バケット本体Ａ１は、建設機械Ｂに連結され、建設機械Ｂによって掘り取り動作することによって、使用済み家畜敷料Ｃを掘り取るようになっている。また、バケット本体Ａ１は、先端側（掘削側）にツースＡ１３を備え、後端側に建設機械Ｂに連結する連結部Ａ１４を備えており、この連結部Ａ１４側の底部Ａ１２が撹拌部１の回転軌跡と同心とする円弧となるように形成されている。
【００２３】
ここで建設機械Ｂは、バケット本体Ａ１を連結するとともに、このバケット本体Ａ１を掘り取り動作させることができるものであればよく、例えば、油圧ショベル、ドーザ、ローダー等が挙げられる。
【００２４】
このバケット本体Ａ１は、壁部材Ａ２によって、撹拌部１を連結部Ａ１４側で内蔵する独立した部屋である撹拌室Ａ２０と、掘り取った使用済み家畜敷料ＣをツースＡ１３側で保持する保持空間部Ａ２１とに区画されている。
【００２５】
壁部材Ａ２は、底部Ａ１２の円弧と同心で連続し、攪拌部１を囲む円弧となるように形成されており、この壁部材Ａ２の円弧と底部Ａ１２の円弧とで攪拌部１を囲むように内蔵する撹拌室Ａ２０を形成している。この壁部材Ａ２は、連結部Ａ１４側の端部がフィルタ部２の端部と連続するようになっている。
【００２６】
この壁部材Ａ２には、撹拌室Ａ２０と保持空間部Ａ２１とを連通する連通口Ａ２３が側板Ａ１０、Ａ１１間の全域にわたる範囲で開口されている（図２参照）。この連通口Ａ２３は、全幅を側板Ａ１０、Ａ１１間の全域にわたる範囲とし、全高を撹拌室Ａ２０から保持空間部Ａ２１に連続する底部Ａ１２から、保持空間部Ａ２１の開口部Ａ２１０方向に向かう中途までの範囲として開口されている。
【００２７】
このような壁部材Ａ２によると、バケット本体Ａ１で使用済み家畜敷料Ｃを掘り取ると同時に、掘り取った使用済み家畜敷料Ｃを保持空間部Ａ２１に保持することができる。また、バケット本体Ａ１をツースＡ１３側が上向になるようにすることで（図１参照）、使用済み家畜敷料Ｃを徐々に保持空間部Ａ２１から連通口Ａ２３を通過させることができるとともに、少しずつ撹拌室Ａ２０に移動させることができる。このとき、バケット本体Ａ１を揺動させることによって、使用済み家畜敷料Ｃをスムーズに移動させることができる。
【００２８】
すなわち、壁部材Ａ２及び連通口Ａ２３によって、撹拌室Ａ２０へ移動する使用済み家畜敷料Ｃの量を制御することができる。そして、この使用済み家畜敷料Ｃの移動量を制御することによって、撹拌部１の使用済み家畜敷料Ｃの撹拌効率を高めるとともに、大量の使用済み家畜敷料Ｃを撹拌することによる撹拌部１に対する悪影響を防止することができる。
【００２９】
撹拌部１は、側板Ａ１０、Ａ１１に回転可能に支持された回転軸１０と、この回転軸１０の外周に一体に設けられた複数の撹拌部材１１とを備えている。回転軸１０は、両端部に側板Ａ１０、Ａ１１に貫通支持される支軸Ａ１６、Ａ１７が形成されている。
【００３０】
回転軸１０は、支軸Ａ１６が建設機械Ｂの油圧によって動作する回転伝達部Ｂ１に連結され、この回転伝達部Ｂ１の回転によって回転する支軸Ａ１６に伴って回転するようになっている。回転伝達部Ｂ１は、側板Ａ１０の外側に取り付けられており、建設機械Ｂからの油圧ホースＢ２が配管されるようになっている。
【００３１】
撹拌部材１１は、回転軸１０の回転に伴って撹拌室Ａ２０内の使用済み家畜敷料Ｃを撹拌して、この使用済み家畜敷料Ｃを堆肥原料Ｃ１と家畜敷料原料Ｃ２とに分けるものであり、回転軸１０の軸線に沿って並列し、且つこの回転軸１０の経方向に沿って放射状に突設されている。この撹拌部材１１の先端には、使用済み家畜敷料Ｃの撹拌及び堆肥原料Ｃ１と家畜敷料原料Ｃ２とに分けることをより効果的にするためのチップ部材１２が固着されている。
【００３２】
撹拌部材１１は、使用済み家畜敷料Ｃを撹拌して、この使用済み家畜敷料Ｃを堆肥原料Ｃ１と家畜敷料原料Ｃ２とに分けることができるものであればよく、例えば、角鋼材、Ｈ鋼材、アングル鋼材等が効果的である。
【００３３】
フィルタ部２は、撹拌部１で分けられた堆肥原料Ｃ１が通過する複数の通過空間２０と、この複数の通過空間２０の間に確保され、撹拌部１で分けられた家畜敷料原料Ｃ２を保持して撹拌室Ａ２０内に残す保持部２１とを備えており（図４、図５参照）、壁部材Ａ２の連結部Ａ１４側の端部から連通口Ａ２３付近までの範囲に設けられている。
【００３４】
フィルタ部２は、通過空間２０及び保持部２１を確保できる形態であればよく、例えば、パンチングメタル状、網状、スリット状にすることによって達成できる。このようなフィルタ部２をバケット本体Ａ１の底部Ａ１２に設ける構成として、バケット本体Ａ１の底部Ａ１２をパンチングメタル状、網状、スリット状となるように加工した構成、バケット本体Ａ１にスリットや貫通孔を備えたスケルトンバケットを用いた構成により達成できる。また、前述のスケルトンバケットのスリットや貫通孔が、家畜敷料原料Ｃ２が通過してしまう大きさのものであれば、このスケルトンバケットのスリットや貫通孔にパンチングメタルや網を被せるように固定した構成等により達成できる。
【００３５】
以上のような構成のバケットＡによると、バケット本体Ａ１をツースＡ１３が上向きとなるように動作させることで、保持空間部Ａ２１に保持した使用済み家畜敷料Ｃを保持空間部Ａ２１から撹拌室Ａ２０に徐々に少しずつ移動させることができる。
【００３６】
また、撹拌室Ａ２０に移動した使用済み家畜敷料Ｃを、撹拌部１の回転に伴う撹拌部材１１の回転により撹拌するとともに、堆肥原料Ｃ１となる家畜糞の塊を砕いて細かくすると同時に、回転する撹拌部材１１が家畜糞の塊等に含まれる家畜敷料原料Ｃ２となる長い稲わら等を引っ掛けて抜き取るとともに、家畜糞の塊等に含まれる家畜敷料原料Ｃ２となる木片チップを家畜糞の塊等から取り出すことによって、使用済み家畜敷料Ｃを堆肥原料Ｃ１と家畜敷料原料Ｃ２とに分けることができる。
【００３７】
更に、回転する撹拌部材１１のチップ部材１２がフィルタ部２に対面するときに、チップ部材１２の先端部とフィルタ部２とで、堆肥原料Ｃ１をすり潰すようにするため、堆肥原料Ｃ１を確実に細かくすることができるとともに、すり潰しながら堆肥原料Ｃ１をフィルタ部２の通過空間２０に押し込んで、この通過空間２０を通過させることができる。
【００３８】
撹拌部１の撹拌によって、家畜敷料原料Ｃ２と分けられるとともに、前述のように砕かれたり、すり潰されたりしながら徐々に細かくされた堆肥原料Ｃ１を、フィルタ部２の通過空間２０を通過させることによってバケット本体Ａ１外に落とし、分けられた家畜敷料原料Ｃ２をフィルタ部２の保持部２１で保持することで、撹拌室Ａ２０内に残すことができる。
【００３９】
撹拌室Ａ２０に残った家畜敷料原料Ｃ２は、バケットＡをツースＡ１３側が下向きとなるように動作させることで、連通口Ａ２３から保持空間部Ａ２１に移動させることができる（図示せず）。保持空間部Ａ２１に移動した家畜敷料原料Ｃ２は、バケットＡを開口部Ａ２１０が下向きとなるように動作させることで、バケット本体Ａ１外に排出することができる（図示せず）。
【００４０】
更に、バケットＡを走行可能な建設機械Ｂに連結して使用するので、各場所への移動が迅速にでき、複数の場所に移動しながらの、使用済み家畜敷料Ｃの堆肥原料Ｃ１と家畜敷料原料Ｃ２とに分ける作業を効率的に行うことができる。
【００４１】
したがって、本実施形態のバケットＡは、バケットＡ自体で使用済み家畜敷料Ｃを堆肥原料Ｃ１と家畜敷料原料Ｃ２に分けるものであるので、使用済み家畜敷料Ｃに含まれる堆肥原料Ｃ１と家畜敷料原料Ｃ２とに分ける作業の効率化が達成できる。
【００４２】
壁部材Ａ２は、バケット本体Ａ１に対して固定でもよいし、撹拌室Ａ２０を開閉できるように支持されていてもよい（図示せず）。撹拌室Ａ２０を開閉可能な壁部材Ａ２の構成としては、バケット本体Ａ１に対して着脱可能に支持する構成、或いは、撹拌室Ａ２０を開閉する方向に回転可能に支持する構成によって達成できる（図示せず）。壁部材Ａ２をバケット本体Ａ１に対して着脱可能に支持する構成として、壁部材Ａ２をバケット本体Ａ１にボルト・ナットを用いて取り付けることによって達成できる（図示せず）。
【００４３】
撹拌室Ａ２０を開閉可能とすることによると、開放することで撹拌部１や撹拌室Ａ２０のメンテナンスや撹拌室Ａ２０内に保持された家畜敷料原料Ｃ２の取り出しを容易にできる。
【００４４】
撹拌部１は、図６に示すように、複数の撹拌部材１１を回転軸１０と同軸とする螺旋（一点鎖線で示す）Ｄ上に沿って並べ、且つ回転軸１０の経方向に沿って放射状に突設した形態としてもよい。
【００４５】
このような撹拌部１によると、図１〜図３に示す撹拌部１と同様の作用効果を奏する。更に、複数の撹拌部材１１を回転軸１０と同軸とする螺旋上に沿って並べているので、使用済み家畜敷料Ｃを撹拌しながら撹拌部１の軸方向に沿って移動させることができる。そのため、前述したように撹拌部材１１の回転方向のすり潰し動作に、堆肥原料Ｃ１を撹拌部１の軸方向に沿わせて移動させる際のすり潰し動作が加わるため、より確実に堆肥原料Ｃ１を細かくすることができるとともに、より迅速に通過空間２０を通過させることができる。
【００４６】
尚、本発明は、例示した実施の形態に限定するものではなく、特許請求の範囲の各項に記載された内容から逸脱しない範囲の構成による実施が可能である。
【符号の説明】
【００４７】
Ａ：バケット  Ａ１：バケット本体  Ａ１０：側板  Ａ１１：側板  Ａ１２：底部
Ａ１３：ツース  Ａ１４：連結部  Ａ２：壁部材  Ａ２０：撹拌室
Ａ２１：保持空間部  Ａ２３：連通口  Ｃ：使用済み家畜敷料（被分離材料）
Ｃ１：堆肥原料（第１材）  Ｃ２：家畜敷料原料（第２材）
Ｄ：螺旋  １：撹拌部  １０：回転軸  １１：撹拌部材  ２：フィルタ部
２０：通過空間  ２１：保持部
【図１】
2012225074.tif 000003
【図２】
2012225074.tif 000004
【図３】
2012225074.tif 000005
【図４】
2012225074.tif 000006
【図５】
2012225074.tif 000007
【図６】
2012225074.tif 000008